(57)【要約】      （修正有）【課題】電解槽での電気分解でのトリハロメタン等の有機ハロゲン化合物の発生を抑制したミストサウナ装置を提供する。【解決手段】ミストノズル１１から噴霧される温水ミストを浴室に供給するミストサウナ装置であって、電解槽１２と、電解槽で生成されるアルカリ性と酸性との一方の極性のイオン水をミストノズル１１に供給するノズル水路１６とを備え、ノズル水路１６に水を加熱して温水にする加熱手段１９を配置し、電解槽１２には給水路１３を介して常温水を供給することを特徴とする。これにより、温水を電気分解する場合に比し、トリハロメタン等の有機ハロゲン化合物の発生が抑制される。また、給水路１３にフィルタ１５を介設することを特徴とする。【選択図】図１
2008012003.tif 000002
【特許請求の範囲】
【請求項１】
ミストノズルを備え、浴室にミストノズルから噴霧される温水ミストを供給するミストサウナ装置であって、電解槽と、電解槽で生成されるアルカリ性と酸性との一方の極性のイオン水をミストノズルに供給するノズル水路とを備えるものにおいて、
電解槽には給水路を介して常温水が供給され、ノズル水路に該ノズル水路に流れる水を加熱して温水にする水加熱手段が配置されていることを特徴とするミストサウナ装置。
【請求項２】
前記給水路にフィルタが介設されていることを特徴とする請求項１記載のミストサウナ装置。
【発明の詳細な説明】
【技術分野】
【０００１】
本発明は、ミストノズルを備え、浴室にミストノズルから噴霧される温水ミストを供給するミストサウナ装置に関する。
【背景技術】
【０００２】
従来、この種のミストサウナ装置として、電解槽と、電解槽で生成される酸性水(次亜塩素酸水)をミストノズルに供給するノズル水路とを備え、浴室に酸性水のミストを供給して、浴室の壁面や入浴者の皮膚表面の殺菌効果を得られるようにしたものが知られている(例えば、特許文献１参照)。このものでは、給湯器からの温水を給湯路を介して電解槽に供給し、酸性水の温水をミストノズルから噴霧するようにしている。また、給湯路にはフィルタが介設されている。
【０００３】
尚、電解槽では水の電気分解で酸性水とアルカリ水とが生成される。アルカリ水には皮膚老廃物の脂肪やタンパクなどを除去するアルカリ洗浄効果がある。従って、電解槽で生成されるアルカリ性と酸性との一方の極性のイオン水をミストノズルに選択的に供給して、アルカリ水の噴霧による洗浄効果や、酸性水の噴霧による殺菌効果を得られるようにすることも考えられる。
【０００４】
ところで、上記従来例のように温水を電解槽に供給すると、トリハロメタン等の有機ハロゲン化合物が発生しやすくなることが判明した。これは、水温が高い状態で電気分解を行うと、水道水中の有機物と塩素との反応が促進されるためである。尚、水温が高くなるほど有機ハロゲン化合物の生成速度が大きくなることは知られており(非特許文献１参照)、高水温下での電気分解を行うと有機ハロゲン化合物の生成が一層促進される。
【特許文献１】特開平１１−３１６０８３号公報
【非特許文献１】伊藤和廣，相沢貴子，羽布津博明，真柄康基(１９８４)河川水の全有機性ハロゲン(ＴＯＸ)生成能と浄水処理過程におけるその挙動、水道協会雑誌５３(８)，１４−２１
【発明の開示】
【発明が解決しようとする課題】
【０００５】
本発明は、以上の点に鑑み、トリハロメタン等の有機ハロゲン化合物の発生を抑制できるようにした電解槽付きのミストサウナ装置を提供することをその課題としている。
【課題を解決するための手段】
【０００６】
上記課題を解決するために、本発明は、ミストノズルを備え、浴室にミストノズルから噴霧される温水ミストを供給するミストサウナ装置であって、電解槽と、電解槽で生成されるアルカリ性と酸性との一方の極性のイオン水をミストノズルに供給するノズル水路とを備えるものにおいて、電解槽には給水路を介して常温水が供給され、ノズル水路に該ノズル水路に流れる水を加熱して温水にする水加熱手段が配置されていることを特徴とする。
【０００７】
本発明によれば、給水路を介して供給される常温水が電解槽で電気分解される。従って、温水を電気分解する従来例のものに比し、トリハロメタン等の有機ハロゲン化合物の発生が抑制される。尚、電解槽に常温水を供給しても、電解槽からノズル水路を介してミストノズルに供給されるイオン水は水加熱手段による加熱で温水になるため、浴室は温水噴霧で高温多湿のミストサウナ状態になり、ミストサウナ装置本来の機能を損なうことはない。
【０００８】
また、従来例では、給湯路にフィルタが介設されるため、フィルタに流れる水の温度が高くなって、フィルタに一旦吸着した有害物質が水中に再放出される虞がある。これに対し、本発明では、電解槽の上流側の流路が常温水を流す給水路になる。そして、この給水路にフィルタを介設することで、フィルタに一旦吸着した有害物質が高水温の影響で再放出されることを防止できる。
【発明を実施するための最良の形態】
【０００９】
図１を参照して、１は浴室の天井部に設置する浴室暖房機のハウジングを示している。浴室に面するハウジング１の下面には、吸込み口２と、可変ルーバ３ａ付きの吹出し口３とが設けられている。そして、ハウジング１内に吸込み口２から吹出し口３に至る通風路４を画成し、この通風路４にファン５と放熱器６とを配置している。
【００１０】
放熱器６には、別置きの熱源機７に連なる熱媒循環路８が接続されている。熱媒循環路８には暖房用熱媒弁９が介設されており、熱源機７で加熱された熱媒体(水、不凍液等)が暖房用熱媒弁９の開弁で放熱器６に循環される。そして、浴室の空気がファン５の回転により吸込み口２から通風路４に吸込まれて放熱器６で加熱され、温風となって吹出し口３から浴室に送風される。
【００１１】
ハウジング１の上面にはミストユニット１０が搭載されている。そして、ミストユニット１０に配管接続されるミストノズル１１をハウジング１の下面の吹出し口３に隣接する部分に配置し、ミストノズル１１から噴霧される温水ミストが吹出し口３からの温風に乗って浴室に供給されるようにしている。
【００１２】
ミストユニット１０には電解槽１２が設けられている。電解槽１２内は隔膜１２ａにより第１と第２の一対の極室１２ｂ，１２ｃに仕切られており、両極室１２ｂ，１２ｃに配置した一対の電極(図示せず)間に直流電圧を印加することにより、第１極室１２ｂでアルカリ性のイオン水(アルカリ水)が生成され、第２極室１２ｃで酸性のイオン水(酸性水)が生成される。
【００１３】
電解槽１２には、給水弁１４とその下流側のフィルタ１５とを介設した給水路１３を介して常温水(水道水)が供給される。また、ミストノズル１１に連なるノズル水路１６と、家屋の下水配管に至る排水路１７とを設け、電解槽１２の両極室１２ｂ，１２ｃを四方弁１８を介してノズル水路１６と排水路１７とに接続するようにしている。四方弁１８は、第１極室１２ｂをノズル水路１６に接続すると共に第２極室１２ｃを排水路１７に接続する第１接続状態と、第２極室１２ｃをノズル水路１６に接続すると共に第１極室１２ｂを排水路１７に接続する第２接続状態と、第１と第２の両極室１２ｂ，１２ｃをノズル水路１６に接続する第３接続状態とに切換え自在である。
【００１４】
ノズル水路１６には、液々熱交換器１９と、その下流側のミスト弁２０とが介設され、更に、液々熱交換器１９とミスト弁２０との間のノズル水路１６の部分の温度を検出するミスト温度センサ２１が設けられている。液々熱交換器１９には、熱媒循環路８から分岐した熱媒循環路８´が接続されており、この熱媒循環路８´に流量調節弁から成るミスト用熱媒弁２２が介設されている。かくして、熱源機７で加熱された熱媒体がミスト用熱媒弁２２の開弁で液々熱交換器１９に供給され、ノズル水路１６に流れる水が液々熱交換器１９で熱媒体の熱により加熱され、温水となってミストノズル１１に供給される。
【００１５】
上記したファン５、暖房用熱媒弁９、電解槽１２、給水弁１４、四方弁１８、ミスト弁２０及びミスト用熱媒弁２２は浴室暖房機用のコントローラ２３で制御される。このコントローラ２３は熱源機７用のコントローラと浴室暖房機用のリモートコントローラとに通信可能に接続されている。そして、リモートコントローラに設けたミストスイッチがオンされたときに、コントローラ２３によるミスト運転制御が実行される。尚、リモートコントローラにより、ミスト運転のモードとして、アルカリ水と酸性水とを順に噴霧する併用モードと、アルカリ水のみを噴霧するアルカリモードと、酸性水のみを噴霧する酸性モードと、水道水をそのまま噴霧する中性モードとを選択できるようになっている。
【００１６】
ミスト運転制御では、先ず、熱源機７に作動指令を送ると共に、暖房用熱媒弁９とミスト用熱媒弁２２とを開弁させて、熱源機７で加熱された熱媒体を放熱器６と液々熱交換器１９とに供給する。そして、放熱器６と液々熱交換器１９の予熱が完了したとき、ファン５を作動させると共に、給水弁１４とミスト弁２０とを開弁させる。これにより、吹出し口３から温風が吹出すと共に、ミストノズル１１に液々熱交換器１９で加熱された温水が供給され、ミストノズル１１から噴霧される温水ミストが温風に乗って浴室に供給されて、浴室が高温多湿のミストサウナ状態になる。ミスト運転中はミスト温度センサ２１の検出温度が設定温度に維持されるように、ミスト用熱媒弁２２で液々熱交換器１９に供給する熱媒体の流量を調節する温調制御を行う。
【００１７】
ここで、ミスト運転のモードとして併用モードを選択したときは、先ず、四方弁１８が第１接続状態に切換えられると共に電解槽１２に通電される。これによれば、電解槽１２の第１極室１２ｂで生成されるアルカリ水がノズル水路１６に供給され、アルカリ水の温水ミストが浴室に供給されて、皮膚老廃物の脂肪やタンパクなどを除去する洗浄効果が得られる。そして、所定時間経過後に四方弁１８が第２接続状態に切換えられる。これによれば、電解槽１２の第２極室１２ｃで生成される酸性水がノズル水路１６に供給され、酸性水の温水ミストが浴室に供給されて、皮膚表面の殺菌効果が得られる。
【００１８】
アルカリモードを選択すると、四方弁１８は第１接続状態に維持され、また、酸性モードを選択すると、四方弁１８は第２接続状態に維持される。中性モードを選択したときは、電解槽１２に通電せずに四方弁１８が第３接続状態に切換えられ、水道水がそのままノズル水路１６に供給される。尚、電解槽１２で生成されるアルカリ性と酸性との一方の極性のイオン水がノズル水路１６に供給されるとき、他方の極性のイオン水は排水路１７に排水される。
【００１９】
ところで、給湯器等で加熱された温水を電解槽１２に供給し、ノズル水路１６に介設した液々熱交換器１９を省略することも考えられる。然し、これでは、高水温下で電解槽１２での電気分解が行われることになって、水道水中の有機物と塩素との反応が促進され、トリハロメタン等の有機ハロゲン化合物が発生しやすくなる。これに対し、本実施形態では、電解槽１２に常温水が供給されるため、トリハロメタン等の有機ハロゲン化合物の発生が抑制される。
【００２０】
また、温水を電解槽１２に供給する場合、電解槽１２の上流側の流路に介設するフィルタに流れる水の温度が高くなるため、フィルタに一旦吸着した有害物質が再放出される虞がある。これに対し、本実施形態では、電解槽１２の上流側の常温水を流す給水路１３にフィルタ１５が介設されるため、フィルタ１５に一旦吸着した有害物質が高水温の影響で再放出されることを防止できる。
【００２１】
以上、本発明の実施形態について図面を参照して説明したが、本発明はこれに限定されない。例えば、上記実施形態では、ノズル水路１６に流れる水を加熱する水加熱手段を液々熱交換器１９で構成したが、電気ヒータで水加熱手段を構成することも可能である。また、上記実施形態では、電解槽１２で生成されるアルカリ水と酸性水とを四方弁１８を用いてノズル水路１６に選択的に供給できるようにしたが、四方弁１８を省略し、電解槽１２で生成されるアルカリ水と酸性水との一方のみをノズル水路１６に供給することも可能である。
【００２２】
更に、上記実施形態では、浴室暖房機にミストサウナ装置が組み込まれているが、浴室暖房機から分離独立した設けられるミストサウナ装置にも同様に本発明を適用できる。
【図面の簡単な説明】
【００２３】
【図１】本発明の実施形態のミストサウナ装置を具備する浴室暖房機の説明的断面図。
【符号の説明】
【００２４】
１１…ミストノズル、１２…電解槽、１３…給水路、１５…フィルタ、１６…ノズル水路、１９…液々熱交換器(水加熱手段)。
【図１】
2008012003.tif 000003